(57)【要約】【課題】無段階に芯９が繰り出せるとともに、後軸７を１回転させるのみで芯繰出とチャック１の拡開が行えるシャープペンシルに適用できる。【解決手段】前軸６に緩やかに傾斜した繰出溝６Ｂと急に傾斜した後退溝６Ｃを有するカム溝６Ａを構成する。このカム溝６Ａの後方に前方に突出した突起６Ｇを有するカム段６Ｄを構成する。更に、前記カム溝６Ａに内カム５の突部５Ｂを係合するとともにカム段６Ｄに芯タンク２の突起２Ｂを当接可能に構成する。【選択図】図１
2011000836.tif 000002
【特許請求の範囲】
【請求項１】
前部に先部材を設けた前軸と、前軸に回動可能に連結された後軸と、前軸及び後軸内に長手方向に摺動可能に内蔵された芯タンクと、芯タンクの前部に連結されたチャックと、チャック及び芯タンクを長手方向後方に付勢するスプリングと、チャックの頭部が当接可能な締具と、締具に固着された内カムとを有し、内カムと芯タンクが長手方向には摺動可能で回動不能に構成し、かつ、前軸と芯タンクは回動可能に構成するとともに後軸と芯タンクは回動不能に構成し、前記前軸に緩やかに傾斜した繰出溝と急に傾斜した後退溝を有するカム溝を構成するとともにカム溝の後方に前方に突出した突起を有するカム段を構成し、前記カム溝に内カムの突部を係合させるとともにカム段に芯タンクの突起を当接可能に構成することにより、前軸に対して後軸を右回転させると内カムの突部が前軸のカム溝に沿って前進し芯を繰り出し、後軸を更に右回転させると芯タンクの突起が前軸のカム段に設けた突起に当接し、内カム及び締具に対してチャック及び芯タンクが前進しチャックを拡開することを特徴とするシャープペンシル。
【発明の詳細な説明】
【技術分野】
【０００１】
本発明は、後軸を回動することにより締具と共にチャックを前進させて芯を繰り出すシャープペンシルに関するものである。
【背景技術】
【０００２】
従来、チャックの頭部に締リングを外嵌し、チャックをノックすることにより一定量ずつ芯を繰り出すノック式シャープペンシルが一般的に知られている。しかし、従来のノック式シャープペンシルは、１回のノックで芯を一定量繰り出すものであり、芯繰出量を微細に調整することができなかった。
そこで、上記課題を解消する発明として、後軸を回動することによりチャックと共にチャック締体を前進させ、芯を無段階に繰り出すシャープペンシルが知られている。（特許文献１参照）
【０００３】
しかしながら、上記シャープペンシルは、一本の芯が消耗し終わるまでチャックを前進させなければならず全長が非常に長くなってしまうものであった。また、チャックを開いて次の芯を保持させるためにはチャックを最後方位置に戻さなければならず、後軸を１０回転以上回してチャックを後退させる操作が非常に面倒であるという問題があった。
【先行技術文献】
【特許文献】
【０００４】
【特許文献１】実公昭５１−２７８５９号公報
【発明の概要】
【発明が解決しようとする課題】
【０００５】
解決しようとする問題点は、無段階に芯が繰り出せるシャープペンシルにおいて、全長が長くなってしまう点と、チャックを開くためには後軸を複数回回転させなければならない点である。
【課題を解決するための手段】
【０００６】
本発明は、前部に先部材を設けた前軸と、前軸に回動可能に連結された後軸と、前軸及び後軸内に長手方向に摺動可能に内蔵された芯タンクと、芯タンクの前部に連結されたチャックと、チャック及び芯タンクを長手方向後方に付勢するスプリングと、チャックの頭部が当接可能な締具と、締具に固着された内カムとを有し、内カムと芯タンクが長手方向には摺動可能で回動不能に構成し、かつ、前軸と芯タンクは回動可能に構成するとともに後軸と芯タンクは回動不能に構成し、前記前軸に緩やかに傾斜した繰出溝と急に傾斜した後退溝を有するカム溝を構成するとともにカム溝の後方に前方に突出した突起を有するカム段を構成し、前記カム溝に内カムの突部を係合させるとともにカム段に芯タンクの突起を当接可能に構成することにより、前軸に対して後軸を回転させると内カムの突部が前軸のカム溝に沿って前進し芯を繰り出し、後軸を更に回転させると芯タンクの突起が前軸のカム段に設けた突起に当接し、内カム及び締具に対してチャック及び芯タンクが前進してチャックを拡開することを特徴とする。
【発明の効果】
【０００７】
本発明のシャープペンシルは、前軸にカム溝とカム段を構成することにより、無段階に芯の繰出量を調整できるとともに、後軸を１回転させるのみで芯繰出とチャックの拡開が行える利点が得られるものである。
【図面の簡単な説明】
【０００８】
【図１】図１は本発明の実施例１のシャープペンシルにおける筆記状態を示す縦断面図である。（実施例１）
【図２】図２は図１の前軸のカム溝とカム段に対する内カムの突部と芯タンクの突起の状態を示す主要部展開図である。（実施例１）
【図３】図３は図１のＡ−Ａ線を示す拡大断面図である。（実施例１）
【図４】図４は図１のＢ−Ｂ線を示す拡大断面図である。（実施例１）
【図５】図５は図１のＣ−Ｃ線を示す拡大断面図である。（実施例１）
【図６】図６は本発明の実施例１のシャープペンシルにおける芯繰出状態を示す縦断面図である。（実施例１）
【図７】図７は図６の前軸のカム溝とカム段に対する内カムの突部と芯タンクの突起の状態を示す主要部展開図である。（実施例１）
【図８】図８は本発明の実施例１のシャープペンシルにおける芯解放状態を示す縦断面図である。（実施例１）
【図９】図９は図８の前軸のカム溝とカム段に対する内カムの突部と芯タンクの突起の状態を示す主要部展開図である。（実施例１）
【図１０】図１０は本発明の実施例１のシャープペンシルにおける内カム後退状態を示す縦断面図である。（実施例１）
【図１１】図１１は図１０の前軸のカム溝とカム段に対する内カムの突部と芯タンクの突起の状態を示す主要部展開図である。（実施例１）
【図１２】図１２は本発明の実施例２のシャープペンシルにおける筆記状態を示す縦断面図である。（実施例２）
【発明を実施するための形態】
【０００９】
後軸を回動することにより無段階に芯が繰り出せるとともに、１回転の後軸の回動で芯繰出とチャックの拡開が行えるシャープペンシルを、全長が長くならずに実現した。
【実施例１】
【００１０】
以下、図１、図２、図３、図４、図５、図６、図７、図８、図９、図１０及び図１１に基づいて本発明における実施例１のシャープペンシルを説明する。また、図１の左側を前方とし、右側を後方とする。先ず、図１、図２、図３、図４及び図５において、本発明のシャープペンシルの筆記状態を説明すると、黄銅等からなる金属製のチャック１の後部に合成樹脂製の芯タンク２を圧入固着する。この芯タンク２の前部の相対位置に前キー２Ａを構成するとともに、この前キー２Ａより適宜後方位置に突起２Ｂを形成する。更に、芯タンク２の中間部相対位置に後キー２Ｃを形成する。この芯タンク２の後部に外鍔２Ｄを形成するとともに、芯タンク２の後端２Ｅ内側に消しゴム３を着脱可能に取り付ける。前記チャック１の頭部１Ａに黄銅等からなる金属製の締具４を外嵌し、この締具４に内カム５を固着する。この内カム５の後部内側の相対位置にキー溝５Ａを形成し、更に後部外側に突部５Ｂを形成する。この内カム５のキー溝５Ａには、前記芯タンク２の前キー２Ａが係合し、内カム５に対して芯タンク２は長手方向には摺動するが回動不能に構成される。
【００１１】
また、前軸６の前部内面に雌ネジ部を形成し、その後方にカム溝６Ａを構成する。このカム溝６Ａは、右回転方向に向かって緩やかに前進する方向に傾斜する繰出溝６Ｂと右回転方向に向かって急に後退する方向に傾斜する後退溝６Ｃにより円周状に構成される。更に、カム溝６Ａの後方にカム段６Ｄを構成し、このカム段６Ｄに右回転方向に向かって前方に傾斜する傾斜面６Ｅと、右回転方向に向かって後方に傾斜する傾斜面６Ｆにより突起６Ｇを構成し、この突起６Ｇの右回転方向に向かって後方に傾斜する傾斜面６Ｆの中間に係止段６Ｈを構成する。更に、前軸６の後部外側に外鍔６Ｉを形成する。この外鍔６Ｉは前端が垂直で後端が傾斜して構成する。
【００１２】
更に、後軸７の前部内側に円周状の凹溝７Ａを構成し、その後方の相対位置に長手方向に伸びたキー溝７Ｂを構成する。このキー溝７Ｂの後方に内段７Ｃを形成する。
【００１３】
この後軸７の凹溝７Ａに前記前軸６の外鍔６Ｉを係合し、後軸７と前軸６を回動可能に連結する。この前軸６のカム溝６Ａに前記内カム５の突部５Ｂを係合させるとともに、芯タンク２の突起２Ｂが前軸６のカム段６Ｄと適宜離間して構成される。更に芯タンク２の後キー２Ｃを後軸７のキー溝７Ｂに係合させ、芯タンク２と後軸７が長手方向には摺動可能でかつ回動不能に構成する。また、後軸７の内段７Ｃと芯タンク２の外鍔２Ｄの間にスプリング８が取り付けられ、芯タンク２が長手方向後方に付勢される。すると、芯タンク２に連結されたチャック１が後方に付勢され、チャック１の頭部１Ａが締具４に押圧されて閉じられ、チャック１により芯９が保持される。
【００１４】
この前軸６に先部材１０が着脱可能に螺合される。そして、この先部材１０には芯９を軽く保持するゴム製の芯ホルダー１１が内蔵される。また、後軸７の後部７Ｄに前記消しゴム３を覆うノブ１２を着脱可能に嵌合し、シャープペンシルが構成される。
【００１５】
次に図１の筆記状態において筆記を行い、芯９が消耗した場合には、前軸６に対し後軸７を右回転させると、後軸７とともに内カム５及び芯タンク２が右回転し、内カム５の突部５Ｂが前軸６のカム溝６Ａに沿って摺動し、内カム５、締具４、チャック１及び芯タンク２が前進して図６及び図７に示した芯繰出状態となる。この状態では芯９の突出量は無段階に調整できるので、使用者が希望する芯９の突出量となる。
【００１６】
また、芯９を戻す場合には、後軸７を左回転させることにより、内カム５、締具４、チャック１及び芯タンク２を後退させて芯９を後退させる。
【００１７】
そして、この状態で繰り返し筆記を行うことにより、後軸７を右回転させて順次芯９を繰り出すが、内カム５の突部５Ｂが前軸６のカム溝６Ａの最前進位置に来ると、芯タンク２の突起２Ｂが前軸６のカム段６Ｄの傾斜面６Ｅに当接し、芯タンク２を前方に移動させる。すると、チャック１の頭部１Ａが締具４と離間し、チャック１が拡開して芯９を解放し、図８及び図９に示した芯解放状態となる。
【００１８】
更に後軸７を右回転させると、内カム５の突部５Ｂが前軸６のカム溝６Ａの後退溝６Ｃに沿って瞬時に後退する。この時、芯タンク２の突起２Ｂが前軸６の係止段６Ｈに係合し、チャック１は拡開された状態となって図１０及び図１１に示した内カム５後退状態となる。
【００１９】
更に、後軸７を右回転させると、芯タンク２の突起２Ｂが前軸６の係止段６Ｈから外れ芯タンク２が後退する。すると、チャック１の頭部１Ａが再び締具４に押圧され、チャック１が閉じられて芯９を保持し、図１に示した筆記状態となる。この時、チャック１は前の筆記状態より一定量芯９の後方を保持した状態となる。上記操作を繰り返すことにより継続して筆記を行うことができる。
【実施例２】
【００２０】
以下、図１２に基づいて本発明における実施例２のシャープペンシルを説明する。尚、図１と同一部材は同一の符号を付してその説明を省略する。前軸６の外鍔６Ｉを後軸１０７の凹溝１０７Ａに係合し、前軸６と後軸１０７が回動可能に連結する。この後軸１０７のキー溝１０７Ｂに芯タンク２の後キー２Ｃを係合させる。更に、後軸１０７の内段１０７Ｃと芯タンク２の外鍔２Ｄの間にスプリング８が取り付けられ、芯タンク２が長手方向後方に付勢される。この芯タンク２の後端２Ｅ外側に消しゴム３を覆うノブ１１２を着脱可能に取り付け、シャープペンシルが構成される。
【００２１】
この実施例２のシャープペンシルの場合には、先部材１０の先端より突出した芯９を、ノブ１１２を押すことによりチャック１を拡開して芯９を押し込めば先部材１０内に芯９を後退させることができるものである。
【００２２】
尚、本発明は上記実施例に限定されるものではなく、前軸、後軸、内カム、芯タンク、締具といった部材は説明を簡略化するためにそれぞれ１個の部品として図示しているが、それぞれ２個以上の部品を螺合、嵌合して一体化すればよい。また、内カムと締具を一体に構成することも可能である。更に、外径形状も図示のものに限定されないことは勿論である。
【産業上の利用可能性】
【００２３】
後軸を回動させることによりチャックの前進とチャックの拡開及びチャックの後退が行え、芯を無段階に調整できるとともに全長が長くならないシャープペンシルに適用できる。
【符号の説明】
【００２４】
１    チャック
１Ａ    チャック１の頭部
２    芯タンク
２Ｂ  芯タンク２の突起
４    締具
５    内カム
５Ｂ    内カム５の突部
６    前軸
６Ａ    前軸６のカム溝
６Ｄ    前軸６のカム段
６Ｇ    前軸６の突起
７    後軸
８    スプリング
１０    先部材
【図１】
2011000836.tif 000003
【図２】
2011000836.tif 000004
【図３】
2011000836.tif 000005
【図４】
2011000836.tif 000006
【図５】
2011000836.tif 000007
【図６】
2011000836.tif 000008
【図７】
2011000836.tif 000009
【図８】
2011000836.tif 000010
【図９】
2011000836.tif 000011
【図１０】
2011000836.tif 000012
【図１１】
2011000836.tif 000013
【図１２】
2011000836.tif 000014